(57)【要約】【課題】  機器ケースを分解しなくても、仕様に応じて簡単にキー釦の表記部分を交換できるようにする。【解決手段】  押圧操作により回路基板８の接点部９をスイッチ動作するキー釦６が、上部ケース２内に上下方向に移動可能に取り付けられた釦本体部１２と、この釦本体部１２の上部に着脱可能に取り付けられて上部ケース２のキー開口部１１から上方に突出する表記釦部１３とを有し、上部ケース２の上面に着脱可能に取り付けられた化粧パネル７に、表記釦部１３が挿入する釦挿入孔１０を設けた。従って、化粧パネル７を上部ケース２の上面から取り外すと、表記釦部１３を上部ケース２の外部に露出させることができ、これにより表記釦部１３を釦本体部１２から取り外すことができる。このため、従来の透明なキャップなどを用いず、機器ケースを分解しなくても、仕様に応じて簡単にキー釦６の表記釦部１３を交換することができる。【選択図】        図２
2006179361.tif 000002
【特許請求の範囲】
【請求項１】
機器ケースに複数のキー釦が設けられ、これら複数のキー釦を押圧操作することにより回路基板の各接点部をスイッチ動作させるキーボードにおいて、
前記複数のキー釦のうち、少なくとも一部のキー釦は、前記機器ケースの上面に設けられたキー開口部に対応して前記機器ケース内に上下方向に移動可能に取り付けられた釦本体部と、この釦本体部の上部に着脱可能に取り付けられて前記機器ケースの前記キー開口部から上方に突出する上面にキー表記が設けられた表記釦部とを有し、
前記機器ケースの上面には、前記キー釦の表記部分である前記表記釦部が挿入する釦挿入孔が設けられた化粧パネルが着脱可能に取り付けられていることを特徴とするキーボード。
【請求項２】
前記釦本体部には、前記化粧パネルの前記釦挿入孔内に挿入する一対の係止フック部が設けられ、前記表記釦部は中空状に形成され、この表記釦部の周囲の側壁部には、前記係止フック部が係脱可能に係合する係合孔が設けられていることを特徴とする請求項１に記載のキーボード。
【請求項３】
前記表記釦部は異なる形状の複数の種類が形成され、前記化粧パネルは前記複数種類の表記釦部の形状に応じた釦挿入孔がそれぞれ設けられた複数の種類が形成されていることを特徴とする請求項２に記載のキーボード。
【請求項４】
前記化粧パネルの前記釦挿入孔は円形状に形成され、前記表記釦部は上部が塞がれた円筒状に形成されて前記化粧パネルの前記釦挿入孔内に回転可能に挿入され、前記釦本体部には前記化粧パネルの前記釦挿入孔内に挿入する一対の係止フック部が設けられ、前記表記釦部の側壁部には前記表記釦部の回転および上下移動によって前記係止フック部が係脱可能に係合するガイド係合部が設けられていることを特徴とする請求項１に記載のキーボード。
【請求項５】
前記ガイド係合部は、前記表記釦部の側壁部に円周方向に沿って設けられた係合孔と、前記表記釦部の側壁部の下端部から前記係合孔の端部に亘って設けられたガイド溝とを有し、前記釦本体部の前記係止フック部を前記表記釦部の下側から前記ガイド溝に沿って前記係合孔にガイドし、前記係止フック部が前記係合孔に沿って円周方向に移動可能に係合することを特徴とする請求項４に記載のキーボード。
【請求項６】
前記表記釦部の側壁部には突起部が外周側に突出して設けられ、前記機器ケースと前記化粧パネルとには、前記表記釦部の前記突起部が上下方向に移動可能に係合して前記突起部の回転方向への移動を規制する回転規制部が設けられていることを特徴とする請求項４に記載のキーボード。
【請求項７】
前記回転規制部は、前記機器ケースの前記キー開口部の内周面に上下方向に設けられた第１縦溝と、前記化粧パネルの前記釦挿入孔の内周面に上下方向に設けられて上部が塞がれた第２縦溝とを有し、前記化粧パネルを前記機器ケース上に取り付けたときに、前記第１、第２縦溝が上下に対応して連続し、この状態で前記表記釦部の前記突起部が上下方向に移動可能に挿入して前記突起部の回転方向への移動を規制することを特徴とする請求項６に記載のキーボード。
【発明の詳細な説明】
【技術分野】
【０００１】
この発明は、電子辞書、携帯電話機、電卓、ＰＤＡ（パーソナル・デジタル・アシスタント）などの携帯型の電子機器に用いられるキーボードに関する。
【背景技術】
【０００２】
従来、携帯型の電子機器においては、機器ケースの表面にキーボードと表示部とを備え、表示部に表示された情報を見ながらキーボードをキー操作できるように構成されている。このような電子機器のキーボードは、文字キー、数字キー、カーソルキー、機能キーなどの各種のキー釦が機器ケースの表面に露呈して配置され、各キーを押圧操作すると、機器ケース内に設けられた回路基板の各接点部がスイッチ動作するように構成されている。
【発明の開示】
【発明が解決しようとする課題】
【０００３】
しかしながら、このような従来のキーボードでは、機器ケースに設けられた各キー挿入孔にそれぞれ各キー釦を機器ケースの内側から挿入して外部に抜け出さないように機器ケースの表面に露出させることにより、各キー釦を機器ケースに組み込んでいるため、キー釦のキー表記が異なる仕様のキーボードを少量多品種生産する場合、仕様ごとに初期工程から組み立てなければならず、組み立てに時間がかかり、生産性が悪いという問題がある。また、在庫の製品を仕様変更する場合には、組み立てられた製品を分解しなければ、仕様に合ったキー釦を組み直すことができないという問題もある。
【０００４】
なお、このような問題を解消するキーボードとして、特許文献１に記載されているように、キー釦のキー表記を簡単に変更できるようにした構造のものがある。この種のキーボードは、各キー釦のうち、変更頻度の高い一部のキー釦に透明なキャップを開閉可能に取り付け、この透明なキャップが取り付けられたキー釦の上面に表記シートを配置して透明なキャップで覆うように構成されている。
【特許文献１】実開平７−５２２７号公報
【０００５】
このような特許文献１のキーボードでは、キー釦を交換する必要がなく、透明なキャップを開閉して簡単に表記シートを交換することができるので、キー釦のキー表記を毎日変更するような交換頻度の高い大型のキー釦に有効であり、電子レジスタなどの据置きタイプの電子機器に用いられるキーボードの一部のキー釦には最適である。
【０００６】
しかし、電子辞書などの携帯型の電子機器に用いられるキーボードでは、キー釦が小さいため、透明なキャップを取り付けることが難しばかりか、透明なキャップを取り付けると、キー釦全体が大きくなり、外観やデザインが損なわれると共に、機器全体も大型化し、商品価値が低下するという問題がある。また、このようなキーボードでは、キー釦を一度組み込んだ後にキー釦をほとんど交換する必要がないため、透明なキャップを用いるのは不向きであるという問題もある。
【０００７】
この発明が解決しようとする課題は、透明なキャップを用いず、機器ケースを分解しなくても、仕様に応じて簡単にキー釦の表記部分を交換することができるキーボードを提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図７に示すように、機器ケース（１）に複数のキー釦（６、２０、３０）が設けられ、これら複数のキー釦を押圧操作することにより回路基板（８）の各接点部（９）をスイッチ動作させるキーボードにおいて、
前記複数のキー釦のうち、少なくとも一部のキー釦は、前記機器ケースの上面に設けられたキー開口部（１１）に対応して前記機器ケース内に上下方向に移動可能に取り付けられた釦本体部（１２、３３）と、この釦本体部の上部に着脱可能に取り付けられて前記機器ケースの前記キー開口部から上方に突出する上面にキー表記が設けられた表記釦部（１３、２７、２８、３２）とを有し、
前記機器ケースの上面には、前記キー釦の表記部分である前記表記釦部が挿入する釦挿入孔（１０、２５、２６、３４）が設けられた化粧パネル（７）が着脱可能に取り付けられていることを特徴とするキーボード（５、２０、３０）である。
【００１０】
請求項２に記載の発明は、図１〜図３に示すように、前記釦本体部（１２）に、前記化粧パネル（７）の前記釦挿入孔（１０）内に挿入する一対の係止フック部（１４）が設けられ、前記表記釦部（１３）が中空状に形成され、この表記釦部の周囲の側壁部（１３ａ）には、前記係止フック部が係脱可能に係合する係合孔（１５）が設けられていることを特徴とする請求項１に記載のキーボードである。
【００１１】
請求項３に記載の発明は、図４および図５に示すように、前記表記釦部（２７、２８）は異なる形状の複数の種類が形成され、前記化粧パネル（２３、２４）は前記複数種類の表記釦部の形状に応じた釦挿入孔（２５、２６）がそれぞれ設けられた複数の種類が形成されていることを特徴とする請求項２に記載のキーボードである。
【００１２】
請求項４に記載の発明は、図６および図７に示すように、前記化粧パネル（７）の前記釦挿入孔（３４）が円形状に形成され、前記表記釦部（３２）が上部の塞がれた円筒状に形成されて前記化粧パネルの前記釦挿入孔内に回転可能に挿入され、前記釦本体部（３３）には前記化粧パネルの前記釦挿入孔内に挿入する一対の係止フック部（１４）が設けられ、前記表記釦部の側壁部（３２ａ）には前記表記釦部の回転および上下移動によって前記係止フック部が係脱可能に係合するガイド係合部（３５）が設けられていることを特徴とする請求項１に記載のキーボードである。
【００１３】
請求項５に記載の発明は、図６および図７に示すように、前記ガイド係合部（３５）が、前記表記釦部（３２）の側壁部（３２ａ）に円周方向に沿って設けられた係合孔（３８）と、前記表記釦部の側壁部の下端部から前記係合孔の端部に亘って設けられたガイド溝（３９）とを有し、前記釦本体部（３３）の前記係止フック部（１４）を前記表記釦部の下側から前記ガイド溝に沿って前記係合孔にガイドすると共に、前記係止フック部が前記係合孔に沿って円周方向に移動可能に係合することを特徴とする請求項４に記載のキーボードである。
【００１４】
請求項６に記載の発明は、図６および図７に示すように、前記表記釦部（３２）に突起部（３６）が設けられ、前記機器ケース（１）と前記化粧パネル（７）とに、前記表記釦部の前記突起部が上下方向に移動可能に係合して前記突起部の回転方向への移動を規制する回転規制部（回転規制溝３７）が設けられていることを特徴とする請求項４に記載のキーボードである。
【００１５】
請求項７に記載の発明は、図６および図７に示すように、前記回転規制部（回転規制溝３７）が、前記機器ケース（１）の前記キー開口部（１１）の内周面に上下方向に設けられた第１縦溝（３７ａ）と、前記化粧パネル（７）の前記釦挿入孔（３４）の内周面に上下方向に設けられて上部が塞がれた第２縦溝（３７ｂ）とを有し、前記化粧パネルを前記機器ケース上に取り付けたときに、前記第１、第２縦溝が上下に対応して連続し、この状態で前記表記釦部（３２）の前記突起部（３６）が上下方向に移動可能に挿入して前記突起部の回転方向への移動を規制することを特徴とする請求項６に記載のキーボードである。
【発明の効果】
【００１６】
請求項１に記載の発明によれば、押圧操作により回路基板の各接点部をそれぞれスイッチ動作する複数のキー釦のうち、少なくとも一部のキー釦が、機器ケースのキー開口部に対応して機器ケース内に上下方向に移動可能に取り付けられた釦本体部と、この釦本体部の上部に着脱可能に取り付けられて機器ケースのキー開口部から上方に突出する表記釦部とを有し、機器ケースの上面に着脱可能に取り付けられた化粧パネルに、キー釦の表記部分である表記釦部が挿入する釦挿入孔を設けたので、化粧パネルを機器ケースの上面から取り外すと、キー釦の表記部分である表記釦部を機器ケースの外部に露出させることができ、これにより機器ケースの外部から表記釦部を釦本体部から取り外すことができる。このため、従来の透明なキャップなどを用いず、機器ケースを分解しなくても、仕様に応じて簡単にキー釦の表記部分である表記釦部を交換することができる。
【００１７】
請求項２に記載の発明によれば、釦本体部に、化粧パネルの釦挿入孔内に挿入する一対の係止フック部が設けられ、表記釦部が中空状に形成され、その周囲の側壁部に係止フック部が係脱可能に係合する係合孔が設けられていることにより、化粧パネルを機器ケースの上面から取り外すと、表記釦部の係合孔が機器ケースの外部に露出するので、この係合孔に工具を差し込むことにより、釦本体部の係止フック部による表記釦部の係止を解除することができ、これにより簡単に表記釦部を釦本体部から取り外すことができる。また、表記釦部を釦本体部に取り付けるときには、機器ケースの外部に露出している釦本体部の係止フック部に表記釦部の係合孔を相対的に係合させることにより、機器ケースを分解しなくても、簡単に表記釦部を釦本体部に取り付けることができる。
【００１８】
請求項３に記載の発明によれば、表記釦部が異なる形状の複数の種類形成され、化粧パネルは複数種類の表記釦部の形状に応じて釦挿入孔がそれぞれ設けられた複数の種類形成されていることにより、例えば三角形、四角形、五角形などの多角形や星形、あるいは楕円形などの非円形の各種の形状の異なる複数種類の表記釦部のうちから、ユーザが希望する形状の表記釦部を自由に選択することができ、この選択した表記釦部の形状に合う釦挿入孔が設けられた化粧パネルを機器ケースに取り付けることにより、ユーザの好み応じた表記釦部および化粧パネルを組み合わせて取り付けることができる。
【００１９】
請求項４に記載の発明によれば、化粧パネルの釦挿入孔が円形状に形成され、表記釦部が上部の塞がれた円筒状に形成されて化粧パネルの釦挿入孔内に回転可能に挿入され、釦本体部には化粧パネルの釦挿入孔内に挿入する一対の係止フック部が設けられ、表記釦部の側壁部には表記釦部の回転および上下移動によって係止フック部が係脱可能に係合するガイド係合部が設けられているので、化粧パネルを機器ケースの上面から取り外して表記釦部を機器ケースの外部に露出させ、この状態で表記釦部を回転および上下移動させることにより、係止フック部をガイド係合部に対して係合または離脱させることができる。このため、表記釦部を回転および上下移動させるだけの簡単な操作で、釦本体部に対し表記釦部を容易に着脱することができ、これにより工具などを用いず、機器ケースを分解しなくても、簡単に表記釦部を交換することができる。
【００２０】
請求項５に記載の発明によれば、ガイド係合部が、表記釦部の側壁部に円周方向に沿って設けられた係合孔と、表記釦部の側壁部の下端部から係合孔の端部に亘って設けられたガイド溝とを有し、釦本体部の係止フック部を表記釦部の下側からガイド溝に沿って係合孔にガイドすると共に、係止フック部が係合孔に沿って円周方向に移動可能に係合することにより、簡単な構造で、ガイド係合部を設けることができる。この場合、表記釦部を釦本体部から取り外すときには、係止フック部がガイド係合部の係合孔に係合していても、表記釦部を回転させることができるので、表記釦部を回転させて係止フック部をガイド係合部の係合孔に沿って相対的に移動させることができ、この後、表記釦部を引き上げると、係止フック部がガイド係合部のガイド溝に沿って相対的に下方に移動するので、係止フック部を表記釦部から下側に離脱させることができ、これにより表記釦部を釦本体部から容易に取り外して交換することができる。
【００２１】
請求項６に記載の発明によれば、表記釦部の側壁部に突起部が外周側に突出して設けられ、機器ケースと化粧パネルとに、表記釦部の突起部が上下方向に移動可能に係合して突起部の回転方向への移動を規制する回転規制部が設けられていることにより、表記釦部が化粧パネルの釦挿入孔に回転可能に挿入され、且つ釦本体部に対して回転可能に取り付けられていても、機器ケースと化粧パネルとに設けられた回転規制部によって表記釦部の突起部の回転方向への移動を規制することができるので、表記釦部が勝手に回転しないように表記釦部を釦本体部に取り付けることができる。また、この状態で表記釦部が押圧操作されると、突起部が化粧パネルと機器ケースとの回転規制部に沿って上下方向に移動するので、表記釦部が釦本体部と共に下方向に移動して接点部を良好にスイッチ動作させることができる。
【００２２】
請求項７に記載の発明によれば、回転規制部が、機器ケースのキー開口部の内周面に上下方向に設けられた第１縦溝と、化粧パネルの釦挿入孔の内周面に上下方向に設けられて上部が塞がれた第２縦溝とを有し、化粧パネルを機器ケース上に取り付けたときに、第１、第２縦溝が上下に対応して連続し、この状態で突起部が化粧パネルの上方に抜け出さないように上下方向に移動可能に挿入するので、化粧パネルを機器ケースから取り外すだけで、簡単に表記釦部の突起部の回転方向への規制を解除することができると共に、化粧パネルを機器ケースに取り付けるだけで、簡単に且つ確実に表記釦部の回転を規制することができる。
【発明を実施するための最良の形態】
【００２３】
（実施形態１）
以下、図１〜図３を参照して、この発明を電子機器に適用した実施形態１について説明する。
図１はこの発明を適用した電子機器の外観斜視図、図２はその要部を示した拡大断面図、図３は図１のキー釦を交換する状態を示した分解斜視図である。
この電子機器は、図１に示すように、機器ケース１を備えている。この機器ケース１は、上部ケース２と下部ケース３とを接合してなり、上部ケース２の上面には、表示部４とキーボード５とが設けられている。
【００２４】
表示部４は、液晶表示素子やＥＬ表示素子（エレクトロルミネッセンス表示素子）などの平面型の表示素子からなり、電気光学的に情報を表示するもので、図１に示すように、上部ケース２の上面における上辺側に表示面を露呈させた状態で配置されている。キーボード５は、文字キー、数字キー、カーソルキー、機能キーなどの各種のキー釦６、および化粧パネル７を備え、図１に示すように、上部ケース２の上面における下辺側にキー釦６の上部が化粧パネル７の上方に露呈した状態で配置されている。
【００２５】
この場合、キーボード５の各キー釦６は、図２に示すように、上部ケース２内に配置された回路基板８の各接点部９の上側に対応して配置され、この状態でキー釦６を上方から押圧操作すると、これに対応する接点部９がスイッチ動作するように構成されている。この接点部９は、ゴムシートをドーム状に膨出形成してなる膨出部９ａの内面に可動接点９ｂが設けられ、この可動接点９ｂが回路基板８上に設けられた固定接点９ｃに接離可能に離間対向し、この状態でドーム状の膨出部９ａが押圧されて弾性変形すると、可動接点９ｂが固定接点９ｃに接触するように構成されている。
【００２６】
ところで、化粧パネル７は、図１〜図３に示すように、上部ケース２の上面に着脱可能に取り付けられており、この化粧パネル７には、各キー釦６の上部が挿入して上方に突出する釦挿入孔１０が上部ケース２に設けられた複数のキー開口部１１にそれぞれ対応して設けられている。また、複数のキー釦６のうち、少なくとも一部のキー釦６、つまりこの実施形態１では全てのキー釦６は、図２に示すように、上部ケース２のキー開口部１１に対応して上部ケース２内に上下方向に移動可能に取り付けられた釦本体部１２と、この釦本体部１２の上部に着脱可能に取り付けられた表記釦部１３とを備えた構成になっている。
【００２７】
すなわち、このキー釦６は、図２に示すように、表記釦部１３が上部ケース２上に取り付けられた化粧パネル７の釦挿入孔１０内に挿入して上方に突出し、この状態で表記釦部１３が上方から押圧操作されると、この表記釦部１３と釦本体部１２とが下方向に移動するように構成されている。釦本体部１２は、四角形のほぼ平板状に形成され、図２に示すように、上部ケース２に形成されたキー開口部１１に対応した状態で、上部ケース２内に上下方向に移動可能に配置され、その下面が回路基板８上に設けられた接点部９によって弾力的に押し上げられている。
【００２８】
この場合、釦本体部１２は、図２に示すように、その周縁部の上面がキー開口部１１の内周面に設けられた鍔部１１ａの下面に当接することにより、上方に抜け出さないように、上限位置が規制されている。また、この釦本体部１２の上面には、上部ケース２のキー開口部１１を通して化粧パネル７の釦挿入孔１０内に挿入する一対の係止フック部１４が前後（図２では左右）に立設されている。
【００２９】
一方、表記釦部１３は、図２に示すように、下側に開放された四角形の箱状に形成されており、その前後（図２では左右）に位置する各側壁部１３ａには、釦本体部１２の係止フック部１４がそれぞれ表記釦部１３の内側から係脱可能に係合する係合孔１５が内周面側から外周面側に貫通して設けられている。このため、表記釦部１３は、側壁部１３ａの係合孔１５に釦本体部１２の係止フック部１４が係脱可能に係合することにより、釦本体部１２に着脱可能に取り付けられている。
【００３０】
また、この表記釦部１３は、図２に示すように、釦本体部１２が回路基板８の接点部９によって弾力的に押し上げられた状態のときに、側壁部１３ａの下端部が上部ケース２のキー開口部１１内に挿入すると共に、表記釦部１３の上部が化粧パネル７の釦挿入孔１０を通して上方に突出し、この状態で側壁部１３ａの係合孔１５が化粧パネル７の釦挿入孔１０の内周面によって塞がれ、これにより係合孔１５が外部から見えないように構成されている。
【００３１】
この場合、表記釦部１３は、図３に示すように、その上面に印刷などによって各キー釦６ごとに異なるキー表記が施されているほか、特に一つのキー釦６に対してキー表記が異なる複数の種類が形成されている。例えば、図３に示すように、キー表記がＡの表記釦部１３、キー表記がＢの表記釦部１３、キー表記がＣの表記釦部１３などの複数種類の表記釦部１３がそれぞれ用意され、そのいずれかの表記釦部１３が釦本体部１２に取り付けられるようになっている。
【００３２】
このようなキーボード５では、図２に示すように、通常はキー釦６の釦本体部１２が回路基板８の接点部９によって弾力的に押し上げられ、釦本体部１２の周縁部の上面が上部ケース２のキー開口部１１に形成された鍔部１１ａの下面に当接するので、この釦本体部１２によって表記釦部１３が押し上げられ、表記釦部１３の上部が化粧パネル７の釦挿入孔１０から上方に突出した状態で配置されている。この状態で、表記釦部１３を上方から押圧操作すると、表記釦部１３が釦本体部１２を押し下げるので、この釦本体部１２が上部ケース２内に配置された回路基板８上の接点部９を押し下げて接点部９の膨出部９ａを弾性変形させることにより、回路基板８の接点部９をスイッチ動作させる。
【００３３】
このように、このキーボード５によれば、押圧操作により回路基板８の接点部９をスイッチ動作するキー釦６が、上部ケース２のキー開口部１１に対応して上部ケース２内に上下方向に移動可能に取り付けられた釦本体部１２と、この釦本体部１２の上部に着脱可能に取り付けられて上部ケース２のキー開口部１１から上方に突出する表記釦部１３とを有し、上部ケース２の上面に着脱可能に取り付けられた化粧パネル７に、キー釦６の表記部分である表記釦部１３が挿入して上方に突出する釦挿入孔１０を設けているので、この化粧パネル７を上部ケース２の上面から取り外すと、表記釦部１３を上部ケース２の外部に露出させることができ、これにより上部ケース２の外部において表記釦部１３を釦本体部１２から取り外すことができる。
【００３４】
すなわち、キー釦６は、釦本体部１２の上部に一対の係止フック部１４が化粧パネル７の釦挿入孔１０内に挿入して設けられ、表記釦部１３が中空状の四角形の箱状に形成され、その前後に位置する各側壁部１３ａに係止フック部１４が係脱可能に係合する係合孔１５が内周面側から外周面側に貫通して設けられているので、釦本体部１２の一対の係止フック部１４を表記釦部１３の各係合孔１５に係合させることにより、表記釦部１３を釦本体部１２に取り付けることができ、この状態で化粧パネル７を上部ケース２の上面から取り外すと、表記釦部１３の係合孔１５を上部ケース２の外部に露出させることができる。
【００３５】
このため、表記釦部１３の係合孔１５にドライバーなどの工具を差し込むことにより、釦本体部１２の係止フック部１４を表記釦部１３の係合孔１５から離脱させて、係止フック部１４による表記釦部１３の係止を解除することができるので、上部ケース２の外部において簡単に表記釦部１３を釦本体部１２から取り外すことができる。また、表記釦部１３を釦本体部１２に取り付けるときには、釦本体部１２の係止フック部１４が上部ケース２の外部に露出しているので、この係止フック部１４に表記釦部１３の係合孔１５を係合させることができる。
【００３６】
これにより、機器ケース１を分解しなくても、簡単に表記釦部１３を交換することができる。このため、従来例のような透明なキャップをキー釦６に設ける必要がないので、外観やデザインを損なうことがなく、良好にキー釦６の表記釦部１３を交換することができる。また、キー釦６の表記釦部１３に施されたキー表記が異なる仕様に迅速に対応することができ、これによりキー釦６の組み直し時間を短縮することができるので、生産性が良く、在庫の製品を大幅に削減することができ、在庫管理の簡素化をも図ることができる。
【００３７】
（実施形態２）
次に、図４および図５を参照して、この発明を電子機器に適用した実施形態２について説明する。なお、図１〜図３に示された実施形態１と同一部分には同一符号を付して説明する。
この電子機器のキーボード２０は、異なる形状のキー釦２１、２２を２種類用意し、この２種類のキー釦２１、２２の形状に応じた釦挿入孔２５、２６がそれぞれ形成された化粧パネル２３、２４を２種類用意した構成になっている。すなわち、キー釦２１、２２は、図４および図５に示すように、形状の異なる２種類の表記釦部２７、２８を備え、この２種類の表記釦部２７、２８が共通の釦本体部１２に着脱可能に取り付けられるように構成されている。
【００３８】
この場合、２種類の表記釦部２７、２８のうち、１種類の表記釦部２７は、図４に示すように、実施形態１と同様、下側に開放された四角形の箱状に形成されており、その前後に位置する各側壁部２７ａには、釦本体部１２の係止フック部１４がそれぞれ表記釦部１３の内側から係脱可能に係合する係合孔１５が内側から外側に貫通して設けられている。他の種類の表記釦部２８は、図５に示すように、両側がくびれて下側に開放されたほぼ四角形の箱状に形成されており、その前後に位置する各側壁部２８ａには、釦本体部１２の係止フック部１４がそれぞれ表記釦部１３の内側から係脱可能に係合する係合孔１５が内側から外側に貫通して設けられている。
【００３９】
また、２種類の化粧パネル２３、２４のうち、１種類の化粧パネル２３は、図４に示すように、実施形態１と同様、キー釦２１の表記釦部２７が挿入して上方に突出する四角形状の釦挿入孔２５が、上部ケース２に設けられたキー開口部１１に対応してそれぞれ設けられている。他の種類の化粧パネル２４は、図５に示すように、キー釦２２の表記釦部２８が挿入して上方に突出する両側がくびれたほぼ四角形状の釦挿入孔２６が、上部ケース２に設けられたキー開口部１１に対応してそれぞれ設けられている。
【００４０】
このようなキーボード２０では、表記釦部２７、２８の形状が異なる２種類のキー釦２１、２２を用意し、この２種類のキー釦２１、２２の形状に応じた釦挿入孔２５、２６がそれぞれ形成された２種類の化粧パネル２３、２４を用意したので、形状の異なる２種類の表記釦部２７、２８のうちから、ユーザが希望する形状の表記釦部２７、２８を自由に選択することができ、この選択した表記釦部２７、２８の形状に合う釦挿入孔２５、２６が形成された化粧パネル２３、２４を上部ケース２に取り付けることにより、ユーザの好み応じた形状のキー釦２１、２２および化粧パネル２３、２４を組み合わせて取り付けることができる。
【００４１】
なお、上記実施形態２では、キー釦２１、２２の表記釦部２７、８として、その形状が単純な四角形と両側がくびれたほぼ四角形との２種類を用意した場合について述べたが、これに限らず、例えば、三角形、五角形などの多角形や星形、あるいは楕円形などの非円形の各種の形状の表記釦部を複数の種類用意し、これらキー釦の形状に対応する釦挿入孔がそれぞれ形成された化粧パネルを複数の種類用意しても良い。このようにすれば、複数種類の表記釦部とこれに対応する複数種類の化粧パネルとをユーザが好みに応じて自由に選択して組み合わせて用いることができる。
【００４２】
（実施形態３）
次に、図６および図７を参照して、この発明を電子機器に適用した実施形態３について説明する。この場合にも、図１〜図３に示された実施形態１と同一部分に同一符号を付して説明する。
この電子機器のキーボード３０は、キー釦３１の表記釦部３２をほぼ円筒状に形成し、この表記釦部３１を回転および上下移動の操作によって釦本体部３３に対し着脱可能に取り付けるように構成し、これ以外は実施形態１とほぼ同じ構成になっている。この場合、化粧パネル７には、表記釦部３２が挿入する釦挿入孔３４が円形状に形成されている。
【００４３】
また、キー釦３１の表記釦部３２は、図６および図７に示すように、上部が塞がれた円筒状に形成され、化粧パネル７の釦挿入孔３４内に回転可能に挿入するように構成されている。釦本体部３３は、実施形態１と同様、その上面に上部ケース２のキー開口部１１を通して化粧パネル７の釦挿入孔３４内に挿入する一対の係止フック部１４が設けた構成になっている。この場合、釦本体部３３は、四角形の平板であっても良いが、円形の平板であっても良い。なお、円形の平板の場合には、図６に示すように、その外周部に回転を規制する突起３３ａを設け、この突起３３ａを上部ケース２の内面に設けられた規制溝２ａに上下動可能に係合させた構成であれば良い。
【００４４】
一方、表記釦部３２の円筒状の側壁部３２ａには、図６に示すように、表記釦部３２の回転および上下移動によって係止フック部１４が係脱可能に係合するガイド係合部３５が設けられており、この表記釦部３２の外周面における所定個所には、表記釦部３２の回転を規制するための突起部３６が外周側に突出して設けられている。また、上部ケース２と化粧パネル７とには、表記釦部３２の突起部３６が上下方向に移動可能に挿入して突起部３６の回転方向への移動を規制する回転規制溝３７が設けられている。
【００４５】
この場合、ガイド係合部３５は、図７に示すように、表記釦部３２の円筒状の側壁部３２ａにその円周方向に沿って設けられた係合孔３８と、表記釦部３２の側壁部３２ａの下端部から係合孔３８の端部に亘って設けられたガイド溝３９とからなり、このガイド溝３９に沿って係止フック部１４が表記釦部３２の下側から係合孔３８内にガイドされ、このガイドされた係止フック部１４が係合孔３８に沿って表記釦部３２の円周方向に移動可能に係合することにより、表記釦部３２を釦本体部３３に係脱可能に取り付けるように構成されている。
【００４６】
また、回転規制溝３７は、図６に示すように、上部ケース２のキー開口部１１の内周面に上下方向に設けられた第１縦溝３７ａと、化粧パネル７の釦挿入孔３４の内周面に上下方向に設けられて上部が塞がれた第２縦溝３７ｂとで構成されている。これにより、回転規制溝３７は、化粧パネル７が上部ケース２上に取り付けられたときに、第１、第２縦溝３７ａ、３７ｂが上下に対応して連続し、この状態で表記釦部３２の突起部３６が表記釦部３２の上方に抜け出さないように上下方向に移動可能に挿入して突起部３６の回転方向への移動を規制するように構成されている。
【００４７】
このようなキーボード３０によれば、化粧パネル７に形成された円形状の釦挿入孔３４内に、上部が塞がれた円筒状の表記釦部３２を回転可能に挿入し、この表記釦部３２に設けられたガイド係合部３５に、釦本体部３３の係止フック部１４を表記釦部３２の回転および上下移動によって係脱可能に係合させているので、化粧パネル７を上部ケース２の上面から取り外して表記釦部３２を上部ケース２の外部に露出させ、この状態で表記釦部３２を回転および上下移動させるだけの簡単な操作で、係止フック部１４をガイド係合部３５に対し係合または離脱させることができる。これにより、表記釦部３２を釦本体部３３に対し着脱することができるので、工具などを用いず、機器ケース１を分解しなくても、簡単に表記釦部３２を交換することができる。
【００４８】
この場合、ガイド係合部３５が、表記釦部３２の側壁部３２ａに円周方向に沿って設けられた係合孔３８と、表記釦部３２の側壁部３２ａの下端部から係合孔３８の端部に亘って設けられたガイド溝３９とからなるので、簡単な構造で、ガイド係合部３５を設けることができる。特に、表記釦部３２を釦本体部３３から取り外すときには、係止フック部１４がガイド係合部３５の係合孔３８に係合していても、表記釦部３２を回転させることができるので、表記釦部３２を回転させて係止フック部１４をガイド係合部３５の係合孔３８に沿って相対的に移動させることができ、この後、表記釦部３２を引き上げると、係止フック部１４がガイド係合部３５のガイド溝３９に沿って相対的に下方に移動するので、係止フック部１４を表記釦部３２から下側に離脱させることができ、これにより表記釦部３２を容易に取り外すことができる。
【００４９】
また、このキー釦３１では、表記釦部３２の側壁部３２ａに突起部３６が外周側に突出して設けられ、上部ケース２と化粧パネル７とに、突起部３６が上下方向に移動可能に係合して突起部３６の回転方向への移動を規制する回転規制溝３７が設けられていることにより、表記釦部３２が化粧パネル７の釦挿入孔３４に回転可能に挿入され、且つ釦本体部３３に対し回転可能に取り付けられていても、上部ケース２と化粧パネル７とに設けられた回転規制溝３７によって表記釦部３２の突起部３６の回転方向への移動を規制することができ、これにより表記釦部３２が勝手に回転しないように表記釦部３２を釦本体部３３に取り付けることができる。
【００５０】
この状態では、化粧パネル７に設けられた釦挿入孔３４の上方に突出した表記釦部３２を上方から押圧操作すると、表記釦部３２の突起部３６が化粧パネル７と上部ケース２とに形成された回転規制溝３７に沿って下方向に移動するので、表記釦部３２が釦本体部３３と共に下方向に移動して、上部ケース２内に配置された回路基板８上の接点部９を押圧し、これにより接点部９を良好にスイッチ動作させることができる。
【００５１】
この場合、回転規制溝３７は、上部ケース２のキー開口部１１の内周面に上下方向に設けられた第１縦溝３７ａと、化粧パネル７の釦挿入孔３４の内周面に上下方向に設けられて上部が塞がれた第２縦溝３７ｂとを有し、化粧パネル７を上部ケース２上に取り付けたときに、第１、第２縦溝３７ａ、３７ｂが上下に対応して連続し、この状態で突起部３６が化粧パネル７の上方に抜け出さないように上下方向に移動可能に挿入するので、化粧パネル７を上部ケース２から取り外すだけで、簡単に表記釦部３２の突起部３６の回転方向への規制を解除することができると共に、化粧パネル７を上部ケース２に取り付けるだけで、簡単に且つ確実に表記釦部３２の回転を規制することができる。
【００５２】
なお、上記実施形態３では、表記釦部３２の側壁部３２ａに形成されたガイド係合部３５のガイド溝３９が表記釦部３２の軸方向（図７では垂直方向）に形成した場合について述べたが、これに限らず、例えば表記釦部３２の側壁部３２ａに、その下端部から係合孔３８の端部に亘って螺旋状に斜めに形成しても良い。このようにガイド溝を螺旋状に形成すれば、釦本体部３３に対して表記釦部３２を着脱するときに、表記釦部３２を回転させるだけの操作で、簡単に表記釦部３２を釦本体部３３に対し着脱することができるので、より一層、着脱操作性の良いものを得ることができる。
【００５３】
また、上記実施形態１〜３では、キーボード５、２０、３０の全てのキー釦６、２１、２２、３１を釦本体部１２、３３と表記釦部１３、２７、２８、３２とで構成した場合について述べたが、これに限らず、キーボードの一部のキー釦６、２１、２２、３１のみを釦本体部１２、３３と表記釦部１３、２７、２８、３２とで構成し、他のキー釦は釦本体部と表記釦部とを一体に形成した通常の構成であっても良い。
【００５４】
さらに、上記実施形態１〜３では、機器ケース１が上部ケース２と下部ケース３とを接合した構成になっている場合について述べたが、これに限らず、機器ケースは、例えば第１、第２ケースをヒンジ部によって開閉可能に連結した折り畳み式の構造であっても良い。この場合には、第１、第２ケースの一方に表示部を設け、他方にキーボードを設ければ良い。このような機器ケースでは、第１、第２ケースを開いて使用することができ、折り畳むとコンパクトに携帯することができる。
【図面の簡単な説明】
【００５５】
【図１】この発明を適用した電子機器の外観斜視図である。（実施形態１）
【図２】図１のＡ−Ａ矢視における要部の拡大断面図である。
【図３】図１のキー釦を交換する状態を示した分解斜視図である。
【図４】この発明を適用した電子機器において２種類のキー釦のうち、１種類のキー釦を分解した状態を示した斜視図である。（実施形態２）
【図５】図４において形状の異なる他の種類のキー釦における表記釦部とこれに対応する化粧パネルとを示した分解斜視図である。
【図６】この発明を適用した電子機器においてキー釦の要部を示した拡大断面図である。（実施形態３）
【図７】図６の表記釦部を示した拡大斜視図である。
【符号の説明】
【００５６】
１  機器ケース
２  上部ケース
３  下部ケース
４  表示部
５、２０、３０  キーボード
６、２１、２２、３１  キー釦
７、２３、２４  化粧パネル
８  回路基板
９  接点部
１０、２５、２６、３４  釦挿入孔
１１  キー開口部
１２、３３  釦本体部
１３、２７、２８、３２  表記釦部
１３ａ、２７ａ、２８ａ、３２ａ  側壁部
１４  係止フック部
１５  係合孔
３５  ガイド係合部
３６  突起部
３７  回転規制溝
３７ａ  第１縦溝
３７ｂ  第２縦溝
３８  係合孔
３９  ガイド溝
【図１】
2006179361.tif 000003
【図２】
2006179361.tif 000004
【図３】
2006179361.tif 000005
【図４】
2006179361.tif 000006
【図５】
2006179361.tif 000007
【図６】
2006179361.tif 000008
【図７】
2006179361.tif 000009